(57)【特許請求の範囲】
【請求項１】
傾斜造営面に取り付ける取付枠と、この取付枠に回転自在に支持された引掛シーリングとを備え、取付枠には屋内配線を接続するとともに、引掛シーリングからの電線を接続して屋内配線と引掛シーリングとを電気的に接続するための端子台を設けていることを特徴とする傾斜面用引掛シーリング装置。
【請求項２】
傾斜造営面に取り付ける取付枠と、この取付枠に回転自在に支持されたシーリング取付台と、このシーリング取付台の下面に固定された引掛シーリングとを備え、取付枠には屋内配線を接続するとともに、引掛シーリングからの電線を接続して屋内配線と引掛シーリングとを電気的に接続するための端子台を設けていることを特徴とする傾斜面用引掛シーリング装置。
【請求項３】
取付枠は造営材に埋設した埋め込みボックスに取付ける手段を備えたことを特徴とする請求項１又は２記載の傾斜面用引掛シーリング装置。
【請求項４】
取付枠は造営材に埋設する埋め込みボックスを兼ねたことを特徴とする請求項１又は２記載の傾斜面用引掛シーリング装置。
【請求項５】
シーリング取付台の上部に横方向の支軸を設け、この支軸を回転自在に軸受けする軸受け部を取付枠に設けたことを特徴とする請求項２又は３又は４記載の傾斜面用引掛シーリング装置。
【請求項６】
取付枠の下部に横方向の支軸を設け、この支軸を回転自在に軸受けする軸受け部をシーリング取付台の上部に設けたことを特徴とする請求項２又は３又は４記載の傾斜面用引掛シーリング装置。
【請求項７】
シーリング取付台及び引掛シーリングからなる回転部を回転部とともに共動する回転部カバーで覆い、該回転部カバーの下面開口に引掛シーリングの栓刃挿入口側の面を臨ませたことを特徴とする請求項２又は３又は４又は５又は６記載の傾斜面用引掛シーリング装置。
【請求項８】
取付枠と、回転部を含む回転部カバーとを化粧カバーで覆い、化粧カバーの下部に回転部カバー内の引掛シーリングの栓刃挿入口側の面を露出させる開口部を設けたことを特徴とする請求項７記載の傾斜面用引掛シーリング装置。
【請求項９】
回転部カバーを化粧カバーと兼用させたことを特徴とする請求項８記載の傾斜面用引掛シーリング装置。
【請求項１０】
取付枠を金属により形成して成ることを特徴とする請求項１又は２又は３又は４記載の傾斜面用引掛シーリング装置。
【請求項１１】
取付枠を合成樹脂により形成して成ることを特徴とする請求項１又は２又は３又は４記載の傾斜面用引掛シーリング装置。
【請求項１２】
取付枠を合成樹脂にインサートされた金属により形成して成ることを特徴とする請求項１又は２又は３又は４記載の傾斜面用引掛シーリング装置。
【請求項１３】
取付枠に照明器具の吊り下げ用チェーンを吊るフックを備えたことを特徴とする請求項１又は２又は３又は４又は１０又は１１又は１２記載の傾斜面用引掛シーリング装置。
【請求項１４】
シーリング取付台を金属により形成して成ることを特徴とする請求項２記載の傾斜面用引掛シーリング装置。
【請求項１５】
シーリング取付台を合成樹脂により形成して成ることを特徴とする請求項２記載の傾斜面用引掛シーリング装置。
【請求項１６】
シーリング取付台を合成樹脂にインサートされた金属により形成して成ることを特徴とする請求項２記載の傾斜面用引掛シーリング装置。
【請求項１７】
シーリング取付台に照明器具の吊り下げ用チェーンを吊るフックを備えたことを特徴とする請求項２又は１４又は１５又は１６記載の傾斜面用引掛シーリング装置。
【請求項１８】
引掛シーリングは丸型引掛シーリングから成ることを特徴とする請求項１又は２記載の傾斜面用引掛シーリング装置。
【請求項１９】
引掛シーリングは角型引掛シーリングから成ることを特徴とする請求項１又は２記載の傾斜面用引掛シーリング装置。
【請求項２０】
引掛シーリングは照明器具の吊り下げ用チェーンを吊るフックを備えたことを特徴とする請求項１又は２又は請求項１８又は１９記載の傾斜面用引掛シーリング装置。
【請求項２１】
引掛シーリングには接続される引掛プラグの栓刃をロックするロック手段を設けたことを特徴とする請求項１又は２又は請求項１８又は１９又は２０記載の傾斜面用引掛シーリング装置。
【請求項２２】
引掛シーリングには送り配線用の端子を備えて成ることを特徴とする請求項１又は２又は請求項１８又は１９又は２０又は２１記載の傾斜面用引掛シーリング装置。
【請求項２３】
引掛シーリングは露出型引掛シーリングから成ることを特徴とする請求項１又は２又は請求項１８又は１９又は２０又は２１又は２２記載の傾斜面用引掛シーリング装置。
【請求項２４】
引掛シーリングは埋設型引掛シーリングから成ることを特徴とする請求項１又は２又は請求項１８又は１９又は２０又は２１又は２２記載の傾斜面用引掛シーリング装置。
【請求項２５】
端子台には送り配線用端子を設けたことを特徴とする請求項１又は２記載の傾斜面用引掛シーリング装置。
【請求項２６】
端子台の屋内電線接続部位を取付枠の表面側に設けたことを特徴とする請求項１又は２又は請求項２５記載の傾斜面用引掛シーリング装置。
【請求項２７】
端子台の屋内電線接続部位を取付枠の裏面側に設けたことを特徴とする請求項１又は２又は請求項２５記載の傾斜面用引掛シーリング装置。
【発明の詳細な説明】
【０００１】
【発明の属する技術分野】
本発明は、傾斜した舟型天井等の傾斜した造営面に取り付ける引掛シーリング装置に関するものである。
【０００２】
【従来の技術】
従来、傾斜した舟型天井等の傾斜した造営面に引掛シーリングを取り付ける装置としては、特開平７−２４５０１１号に示されるものがあった。この従来の装置は傾斜した天井面に引掛シーリングを直接固定し、この引掛シーリングに引掛接続した引掛プラグ（シーリングキャップ）に接続された配線コードを支持装置のハウジングの中で旋回可能に設けた球状の孔を通し、配線コードの下端に接続してある照明器具を鉛直方向に吊り下げるようになっている。
【０００３】
尚引掛シーリングは引掛シーリングローゼットとも称せられる。
【０００４】
【発明が解決しようとする課題】
しかしながら、照明器具の傾斜天井面からの吊り下げは引掛シーリングを水平（傾斜角度０°）で使用することが電力会社の内線規定で規制されており、上記の従来例装置はこの規制を受け、実際には使用できないという問題がある。そこで従来では傾斜天井面に上面が傾斜した木台を取付けてその水平下面に引掛シーリングローゼットを取り付ける方法で対処していた。
【０００５】
しかしながらこの方法では天井材、つまり造営材側の工事が必要となるという問題があった。本発明は上記の点に鑑みて為されたもので、その目的とするところは電力会社の内線規定に触れることなく、しかも造営側に特別な台を取り付けることなく使用することができる引掛シーリング装置に関するものである。
【０００６】
【課題を解決するための手段】
上記目的を達成するために請求項１の発明では、傾斜造営面に取り付ける取付枠と、この取付枠に回転自在に支持された引掛シーリングとを備え、取付枠には屋内配線を接続するとともに、引掛シーリングからの電線を接続して屋内配線と引掛シーリングとを電気的に接続するための端子台を設けていることを特徴とする。請求項２の発明では、傾斜造営面に取り付ける取付枠と、この取付枠に回転自在に支持されたシーリング取付台と、このシーリング取付台の下面に固定された引掛シーリングとを備え、取付枠には屋内配線を接続するとともに、引掛シーリングからの電線を接続して屋内配線と引掛シーリングとを電気的に接続するための端子台を設けていることを特徴とする。
【０００７】
請求項３の発明では、請求項１又は２の発明において、取付枠は造営材に埋設した埋め込みボックスに取付ける手段を備えたことを特徴とする。請求項４の発明では、請求項１又は２の発明において、取付枠は造営材に埋設する埋め込みボックスを兼ねたことを特徴とする。
【０００８】
請求項５の発明では、請求項２又は３又は４の発明において、シーリング取付台の上部に横方向の支軸を設け、この支軸を回転自在に軸受けする軸受け部を取付枠に設けたことを特徴とする。請求項６の発明では、請求項２又は３又は４の発明において、取付枠の下部に横方向の支軸を設け、この支軸を回転自在に軸受けする軸受け部をシーリング取付台の上部に設けたことを特徴とする。
【０００９】
請求項７の発明では、請求項２又は３又は４又は５又は６の発明において、シーリング取付台及び引掛シーリングからなる回転部を回転部とともに共動する回転部カバーで覆い、該回転部カバーの下面開口に引掛シーリングの栓刃挿入口側の面を臨ませたことを特徴とする。請求項８の発明では、請求項７の発明において、取付枠と、回転部を含む回転部カバーとを化粧カバーで覆い、化粧カバーの下部に回転部カバー内の引掛シーリングの栓刃挿入口側の面を露出させる開口部を設けたことを特徴とする。
【００１０】
請求項９の発明では、請求項８の発明において、回転部カバーを化粧カバーと兼用させたことを特徴とする。請求項１０の発明では、請求項１又は２又は３又は４の発明において、取付枠を金属により形成して成ることを特徴とする。請求項１１の発明では、請求項１又は２又は３又は４の発明において、取付枠を合成樹脂により形成して成ることを特徴とする。
【００１１】
請求項１２の発明では、請求項１又は２又は３又は４の発明において、取付枠を合成樹脂にインサートされた金属により形成して成ることを特徴とする。請求項１３の発明では、請求項１又は２又は３又は４又は１０又は１１又は１２の発明において、取付枠に照明器具の吊り下げ用チェーンを吊るフックを備えたことを特徴とする。
【００１２】
請求項１４の発明では、請求項２の発明において、シーリング取付台を金属により形成して成ることを特徴とする。請求項１５の発明では、請求項２の発明において、シーリング取付台を合成樹脂により形成して成ることを特徴とする。請求項１６の発明では、請求項２の発明において、シーリング取付台を合成樹脂にインサートされた金属により形成して成ることを特徴とする。
【００１３】
請求項１７の発明では、請求項２又は１４又は１５又は１６の発明において、シーリング取付台に照明器具の吊り下げ用チェーンを吊るフックを備えたことを特徴とする。請求項１８の発明では、請求項１又は２の発明において、引掛シーリングは丸型引掛シーリングから成ることを特徴とする。
【００１４】
請求項１９の発明では、請求項１又は２の発明において、引掛シーリングは角型引掛シーリングから成ることを特徴とする。請求項２０の発明では、請求項１又は２又は請求項１８又は１９の発明において、引掛シーリングは照明器具の吊り下げ用チェーンを吊るフックを備えたことを特徴とする。
【００１５】
請求項２１の発明では、請求項１又は２又は請求項１８又は１９又は２０の発明において、引掛シーリングには接続される引掛プラグの栓刃をロックするロック手段を設けたことを特徴とする。請求項２２の発明では、請求項１又は２又は請求項１８又は１９又は２０又は２１の発明において、引掛シーリングには送り配線用の端子を備えて成ることを特徴とする。
【００１６】
請求項２３の発明では、請求項１又は２又は請求項１８又は１９又は２０又は２１又は２２の発明において、引掛シーリングは露出型引掛シーリングから成ることを特徴とする。請求項２４の発明では、請求項１又は２又は請求項１８又は１９又は２０又は２１又は２２の発明において、引掛シーリングは埋設型引掛シーリングから成ることを特徴とする。
【００１７】
請求項２５の発明では、請求項１又は２の発明において、端子台には送り配線用端子を設けたことを特徴とする。請求項２６の発明では、請求項１又は２又は請求項２５の発明において、端子台の屋内電線接続部位を取付枠の表面側に設けたことを特徴とする。
【００１８】
請求項２７の発明では、請求項１又は２又は請求項２５の発明において、端子台の屋内電線接続部位を取付枠の裏面側に設けたことを特徴とする。
【００１９】
【発明の実施の形態】
以下、本発明を実施形態により説明する。図１乃至図８に示す実施形態は既製の丸型の露設用の引掛シーリング１と、該引掛シーリング１を取り付けるシーリング取付台２とで構成される回転部と、回転部を回転自在に支持し、傾斜した造営面、主には傾斜天井面に取り付ける取付枠３とを主要な構成部材とし、回転部は合成樹脂で形成された回転部カバー４に内装され、また回転部カバー４を含む回転部と取付枠３とは化粧カバー５０内に収納される。
【００２０】
回転部カバー４は有底の筒状に形成され、その底部を上方向に凹ませて下側に凹部５を形成しており、この凹部５内に引掛シーリング１を配設し、凹部５の天井部の回転部カバー４内にシーリング取付台２を配設し、引掛シーリング１のボディ１０の取付孔７に下方から挿通させた皿小ねじからなる固定ねじ８を凹部５に貫通させた挿通孔９を介して、シーリング取付台２に設けたねじ孔１７に螺合締結することによりボディ１０をシーリング取付台２に固定するようになっている。引掛シーリング１のボディ１０の下面には引掛プラグ（シーリングキャップ）の引掛栓刃を係止して機械的電気的に接続する一対の刃受けばね１１と、夫々の刃受けばね１１に一体に連設された端子金具１２とを配設し、端子金具１２には、電線挿入口２８を介してボディ１０の上面より下面側に挿入された２芯の配線コード１４の各線の先端に取り付けられた圧着端子１５を端子ねじ１３により締結固定する。配線コード１４は回転部カバー４の凹部５の天井部に設けたコード貫通孔１６及びシーリング取付台２に設けたコード貫通孔１８を介して上方に導出される。
【００２１】
引掛シーリング１のボディ１０の下面にはカバー１９が取着される。このカバー１９はなべ小ねじからなる固定ねじ２０を挿通孔２１に下方から挿通させ、ボディ１０側に設けたねじ孔２６に螺合締結させることによりボディ１０に固定されるもので、一対の引掛栓刃挿入孔２２をカバー１９に穿設してあり、このカバー１９の一対の引掛栓刃挿入孔２２が凹部５の下面開口より外部に露出する。
【００２２】
シーリング取付台２は金属板により形成されたもので、両側には回転部カバー４の側面開口４ａに側面が臨む軸支持片２３を折り曲げ形成し、この軸支持片２３に穿設してある軸孔２３ａに支軸２４を貫挿させ、軸孔２３ａに対応する位置付近に形成せる支軸２４の細径部２４ａにＥリング２５を挿入して固定し支軸２４の軸方向の移動を規制する。
【００２３】
支軸２４は両軸支持片２３より外側方に突出した両端を、取付枠３の軸受け部３０に回転自在に支持させるものである。取付枠３は金属板により形成された円板状のもので、一対の円弧状のだるま孔からなる取付孔３１を同一円周上に対称的に形成するとともに、中心に屋内配線を取付枠３の下面側に引き込む電線引込み孔３２を設け、更に両側には軸受け部３０を下向けに折り曲げ形成してある。
【００２４】
電線引込み孔３２は角形の合成樹脂若しくはゴムのような絶縁材料からなるブッシング３３を所謂スナップインにより嵌め込み、引き込まれる屋内配線と取付枠３との絶縁を図っている。３３ａは係止突起で、電線引込み孔３２の開口縁に係止される。取付孔３１は天井面に取付けるための取付けねじを挿通させるもので、両側の取付孔３１の間隔（ピッチ）を埋め込みボックスの取付けねじ孔に対応させ、埋め込みボックスを利用して取付枠３を取り付けることができるようにしてある。
【００２５】
軸受け部３０は先端に略Ｊ字状のフック部３０ａを形成し、このフック部３０ａに上記支軸２４の両端を取り外し自在に支持して回転部カバー４に覆われた引掛シーリング１及びシーリング取付台２からなる回転部を回転自在に懸垂するようになっている。取付枠３の電線引込み孔３２の近傍の面には速結端子を内蔵した端子台３４を収納せるホルダー３５を六角穴ねじよりなる固定ねじ３６により固定してある。
【００２６】
端子台３４は一対の速結端子を内蔵したもので、ホルダー３５の片側に設けた突出部３７内に内側から収納され突出部３７の開口窓３７ａより電線挿入孔３４ａを露出させている。そして裏面に設けた端子３４ｂにはホルダー３５の突出部３７の側方の表面に開口してある孔３５ａからホルダー３５内に挿入した上記配線コード１４の各線が半田付けにより電気的、機械的に接続される。尚３４ｃは速結端子の解除釦を操作する治具挿入孔である。
【００２７】
ホルダー３５は樹脂成形品であって、底部３５ｂがヒンジによりホルダー３５の底面開口部に対して矢印方向に開閉自在で、上記の配線コード１４の端子３４ｂへの半田付け時には底部３５ｂを開き、半田付け後に閉じるようになっている。この底部３５ｂには、取付枠３の下面に底部３５ｂを載置する際に、取付枠３に形成してあるねじ座３８，３８を嵌める凹部３５ｃ，３５ｃを設けてある。そして一方のねじ座３８のねじ孔にホルダー３５に設けた挿通孔３５ｄに挿通させて凹部３５ｃより突出させた固定ねじ３６を締結させることによりホルダー３５を取付枠３に固定し、また他方のねじ座３８のねじ孔より挿通させたタッピングねじ３９を凹部３５ｃよりホルダー３５に挿入して内部の端子台３４の固定孔に螺入締結させることにより端子台３４を固定するようになっている。
【００２８】
而して本実施形態を傾斜天井面に取り付けるに当たっては取付枠３に回転部を支持させている状態では、取付枠３の取付けができないため、まず回転部の支軸２４を軸受け部３０のフック部３０ａより外す。この場合、端子台３４に一端を半田付けにより接続した配線コード１４の他端の圧着端子１５が回転部の引掛シーリング３の端子金具１２に端子ねじ１３で固定された状態にあるため、回転部は落下しない。
【００２９】
さてこの状態において取付枠３を取付けねじ４０を用いて天井Ｘに埋設されている埋め込みボックス４１の取付けねじ孔４２に締結固定する。図４、図５はその取付け状態を示す。ところで図４で点線で示すように埋め込みボックス４１が埋め込み工事のばらつきによりずれが生じた場合、取付けねじ孔４２が丸孔であると、吊り下げられる照明器具も埋め込みボックス４１と同様に傾いて取り付けられ、修正ができないという問題があり、そのため照明器具側によりずれ修正が可能なように取付けねじ孔４２に対応する取付け孔３１を円弧状の長孔としている。また取付けねじ孔４２も長円としてある。
【００３０】
さて取付枠３を天井Ｘに取り付ける前に取付枠３の電線引込み口孔３２に予め先行配線されているＶＶＦケーブルのような屋内配線４３を取付枠３の下面側に挿通しておき、取付枠３を天井Ｘに取り付けた後に端子台３４の電線挿入孔３４ａより芯線を挿入して結線を図６に示すように行う。しかる後に、回転部の支軸２４を取付枠３の軸受け部３０のフック部３０ａに支持させ、更に取付枠３と回転部カバー４を含む回転部とを覆うように化粧カバー５０を取付枠３に固定する。
【００３１】
ここで取付枠３の軸受け部３０には外方向に支持片５１を切り起こして、この支持片５１のねじ孔５２に予め取付けねじ５３を螺合させており、化粧カバー５０を取り付けるに当たっては化粧カバー５０の両側に形成した上端が開口せる切欠溝５４に取付けねじ５３の軸部を嵌め込むような形で化粧カバー５０を下方から上方に向けて移動させて化粧カバー５０内に回転部カバー４及び取付枠３を収納するのである。そして適宜な位置で化粧カバー５０の外面に頭部が露出している取付けねじ５３を化粧カバー５０の外側から締結してその頭部と支持片５１とで切欠溝５４周辺の化粧カバー５０を挟持させることにより化粧カバー５０を固定するのである。
【００３２】
化粧カバー５０の取付け位置は取付けねじ５３の軸部を切欠溝５４内で上下方向に移動させることにより調整することができる。つまりこの構造が天井Ｘと化粧カバー５０の上端との間の隙間を無くすための位置調整手段を構成する。化粧カバー５０を取り付けることにより本実施形態の傾斜面用引掛シーリング装置の取付施工が完了する。図１及び図７は化粧カバー５０を取り付けた状態を示す。
【００３３】
次に化粧カバー５０の下面より露出せる回転部の引掛シーリング３に照明器具の吊り下げコード先端に設けた引掛プラグを引掛接続して垂下させると、照明器具の重量により鉛直方向の力が回転部に働いて引掛シーリング３の下面が水平となる位置まで支軸２４を中心として回転部は回転する。つまり引掛シーリング３が水平となることを要件とする電力会社の内線規定を満足することができることになる。
【００３４】
尚化粧カバー５０の下面開口部は回転部の回転に対応するように化粧カバー５０の一側面にかけて連続開口しており、実施形態では略４５°の傾斜天井面に取り付けた場合にも対応するようになっている。勿論回転部が化粧カバー５０内で略４５°の回転範囲で引っ掛かりなく回転できるように回転部と化粧カバー５０との寸法関係を設定してある。また４５°以上回転しないようにロック手段を設けても良い。
【００３５】
ところで上記実施形態では引掛シーリング３は露出用の丸型引掛シーリングを用いているが、角型であっても勿論良く、また露出型でなく埋め込み型であっても良く、更に照明器具のチェーン吊り用のフックが設けられているものでもよい。何れにしても既製の引掛シーリングを使用することができる。また更に送り端子付でも良い。
【００３６】
また上記実施形態では端子台３４の電線挿入孔３４ａは下向きに開口してあったが、図９に示すように端子台３４の電線挿入孔３４を電線引込み孔３２側に向けて、天井Ｘより引き出した屋内配線４３の線を取付枠３の表側に引き回すことなく結線することができるようにしても良い。また上記実施形態では支軸２４を軸受け部３０のフック部３０ａに回転自在に支持させただけであったが、図１０に示すように、支軸２４の両端に雄ねじ部２７を設け、この雄ねじ部２７の基部に環体６０を貫挿固定してこの環体６０を軸支持片２３の裏面側に配置し、軸支持片２３の表面側に突出した支軸２４を軸受け部３０のフック部３０ａに支持させ、上記のように照明器具を吊り下げて回転部が所定位置に回転した状態で雄ねじ部２４ａにナット６１を締結することにより回転部の支点回りを固定するようにしても良い。この際環体６０の表面に形成した突起６０ａ、また軸支持片２３の軸孔２３ａの周辺に設けた突起２３ｂ、更にフック部３０ａの周辺に設けた突起３０ｂが回り止めとして機能する。従って本実施形態の場合、照明器具が揺れても回転部が回転することがなく、水平天井面に引掛シーリングを取り付ける場合と同様な条件となる。
【００３７】
更に図１１に示すように照明器具のチェーン吊り用のフック７０を一体に設けた取付枠３を使用しても良い。更にまた図１２に示すように照明器具のチェーン吊り用のフック７０を一体に設けた引掛シーリング１を使用してもよい。また更に図１３に示すように回転部カバー４を一体とした引掛シーリング１を用いても良い。
【００３８】
更に図１４に示すように照明器具のチェーン吊り用のフック７０を一体に設けたシーリング取付台３を使用するとともに、引掛プラグを接続した後、外れ防止のためにロックするロック片７１を設けた引掛シーリング３を使用しても良い。この場合回転部カバー４の側面に露出させてあるロック解除釦７１を押すことによりロック片７１のロック状態を解除し、この状態で引掛プラグを回転させれば、引掛プラグを取り外すことができる。
【００３９】
上記実施形態では化粧カバー５０と回転部カバー４０は別体であったが、図１５に示すように回転部カバー４０を化粧カバーと兼用させ回転部の回転と共動させるようにしても良い。また上記実施形態では回転部側に支軸２４’を設け、取付枠３側に軸受け部３０を設けてあったが、図１６に示すように取付枠３側に支軸２４’及びその軸支持片２３’を設けるとともに、支軸２４’を回転自在に支持する軸受け部３０’をシーリング取付台２の両側に設け、軸受け部３０’の先端部に形成せる略逆Ｊ字状のフック部３０ａ’に支軸２４’の端部を回転自在に支持させてシーリング取付台２及び引掛シーリング１と回転部カバー４とからなる回転部を回転自在に懸垂するようしても良い。
【００４０】
更にまた図１７に示すように両端に逆Ｊ字状に折り曲げて形成したフック部７３を持つ支軸２４”をシーリング取付台２の上面中央に回転自在に取付け、フック部７３を取付枠３側に設けた引掛部８０の引掛孔８１に係止させてシーリング取付台２及び引掛シーリング３と回転部カバー４とからなる回転部を回転自在に懸垂するようにしても良い。尚８２は支軸２２を回転自在に取付ける止め金具、８３はその固定ねじ、８４はねじ孔である。
【００４１】
また上記のように図１８に示すように取付枠３が埋め込みボックスを兼ねた構造であってよい。尚この場合埋め込まれた部分の側面より屋内配線４３が引き込まれ、内部の端子台３４に接続されるようになっている。尚上記実施形態と同じ機能の部材には同じ番号を付し説明は省略する。ところで端子台３４の端子は速結端子であったがねじ端子であっても良い。また送り端子を設けても良い。
【００４２】
更にシーリング取付台３は金属製であったが、合成樹脂成形品で構成してもよい。また合成樹脂成形品に金属板をインサートしたものであっても良い。また取付枠３も金属製であったが、合成樹脂成形品で構成してもよい。更には合成樹脂成形品に金属板をインサートしたものであっても良い。
【００４３】
【発明の効果】
請求項１の発明は、傾斜造営面に取り付ける取付枠と、この取付枠に回転自在に支持された引掛シーリングとを備え、取付枠には屋内配線を接続するとともに、引掛シーリングからの電線を接続して屋内配線と引掛シーリングとを電気的に接続するための端子台を設けているので、引掛シーリングを水平にすることができ、そのため木台のような台を用いることなく電力会社の内線規定を満足することができるという効果がある。加えて、取付枠側と引掛シーリング側とを予め電線により結合しておくことができ、施工時に一々引掛シーリング側と端子台との接続を行う必要がない。
【００４４】
請求項２の発明は、傾斜造営面に取り付ける取付枠と、この取付枠に回転自在に支持されたシーリング取付台と、このシーリング取付台の下面に固定された引掛シーリングとを備え、取付枠には屋内配線を接続するとともに、引掛シーリングからの電線を接続して屋内配線と引掛シーリングとを電気的に接続するための端子台を設けているので、引掛シーリングを水平にすることができ、そのため木台のような台を用いることなく電力会社の内線規定を満足することができ、しかも引掛シーリングに既製のものを使用することができるという効果がある。加えて、取付枠側と引掛シーリング側とを予め電線により結合しておくことができ、施工時に一々引掛シーリング側と端子台との接続を行う必要がない。
【００４５】
請求項３の発明は、請求項１又は２の発明において、取付枠に造営材を埋設した埋め込みボックスに取付ける手段を備えているので、埋め込みボックスを用いた取付け施工ができるという効果がある。請求項４の発明は、請求項１又は２の発明において、取付枠が造営材に埋設する埋め込みボックスを兼ねているので、埋め込みボックスを別に設けることなく取付施工ができる上に、傾斜造営面よりの出っ張りを少なくすることができ、外観を美しくなるという効果がある。
【００４６】
請求項５の発明は、請求項２又は３又は４の発明において、シーリング取付台の上部に横方向の支軸を設け、この支軸を回転自在に軸受けする軸受け部を取付枠に設けたので、また請求項６の発明は、請求項２又は３又は４の発明において、取付枠の下部に横方向の支軸を設け、この支軸を回転自在に軸受けする軸受け部をシーリング取付台の上部に設けたので、シーリング取付台及び引掛シーリングからなる回転部を吊り下げる照明器具の重量により回転させて引掛シーリングを水平にすることができる。
【００４７】
請求項７の発明は、請求項２又は３又は４又は５又は６の発明において、シーリング取付台及び引掛シーリングからなる回転部を回転部とともに共動する回転部カバーで覆い、該回転部カバーの下面開口に引掛シーリングの栓刃挿入口側の面を臨ませたので、電線接続部位が露出せず安全である。請求項８の発明は、請求項７の発明において、取付枠と、回転部を含む回転部カバーとを化粧カバーで覆い、化粧カバーの下部に回転部カバー内の引掛シーリングの栓刃挿入口側の面を露出させる開口部を設けたので、化粧カバーにより傾斜造営面との隙間を見えなくすることができて外観が美しくなり、室内の雰囲気を損ねることもない。
【００４８】
請求項９の発明は、請求項８の発明において、回転部カバーを化粧カバーと兼用させたので部材点数を少なくできる。請求項１０の発明は、請求項１又は２又は３又は４の発明において、取付枠を金属により形成して成るので、耐荷重性を向上させることができる。請求項１１の発明は、請求項１又は２又は３又は４の発明において、取付枠を合成樹脂により形成して成るので、生産コストを安価にすることができ、また絶縁性を高めることができる。
【００４９】
請求項１２の発明は、請求項１又は２又は３又は４の発明において、取付枠を合成樹脂にインサートされた金属により形成してあるので、耐荷重性を向上させることができる上に絶縁性を高めることができる。請求項１３の発明は、請求項１又は２又は３又は４又は１０又は１１又は１２の発明において、取付枠に照明器具の吊り下げ用チェーンを吊るフックを備えたので、照明器具のチェーン吊りが容易に行える。
【００５０】
請求項１４の発明は、請求項２の発明において、シーリング取付台を金属により形成してあるので、耐荷重性を向上させることができる。請求項１５の発明は、請求項２の発明において、シーリング取付台を合成樹脂により形成してあるので、製作コストを安価にできる上に絶縁性を高めることができる。
【００５１】
請求項１６の発明は、請求項２の発明において、シーリング取付台を合成樹脂にインサートされた金属により形成してあるので、耐荷重性を向上させることができる上に絶縁性を高めることができる。請求項１７の発明は、請求項２又は１４又は１５又は１６の発明において、シーリング取付台に照明器具の吊り下げ用チェーンを吊るフックを備えたので、照明器具のチェーン吊りが容易に行える。
【００５２】
請求項１８の発明は、請求項１又は２の発明において、引掛シーリングは丸型引掛シーリングからなり、また請求項１９の発明は、請求項１又は２の発明において、引掛シーリングは角型引掛シーリングからなり、更に請求項２３の発明は、請求項１又は２又は請求項１８又は１９又は２０又は２１又は２２の発明において、引掛シーリングは露出型引掛シーリングからなり、また更に請求項２４の発明は、請求項１又は２又は請求項１８又は１９又は２０又は２１又は２２の発明において、引掛シーリングは埋設型引掛シーリングからなるもので、何れにおいても既製の引掛シーリングを使用することができる。
【００５３】
更に請求項２０の発明は、請求項１又は２又は請求項１８又は１９の発明において、引掛シーリングは照明器具の吊り下げ用チェーンを吊るフックを備えたので、フック付の既製の引掛シーリングを使用することにより、シーリング取付台や取付枠にフックを設けることなく照明器具のチェーン吊りが行える。請求項２１の発明は、請求項１又は２又は請求項１８又は１９又は２０の発明において、引掛シーリングには接続される引掛プラグの栓刃をロックするロック手段を設けたので、地震等の振動が加わっても照明器具が落下する恐れがない。
【００５４】
請求項２２の発明は、請求項１又は２又は請求項１８又は１９又は２０又は２１の発明において、引掛シーリングには送り配線用の端子を備えてあるので、送り配線を必要とする場合にも施工が容易となる。
【００５５】
請求項２５の発明は、請求項１又は２の発明において、端子台には送り配線用端子を設けているので、送り配線を必要とする場合にも施工が容易となる。請求項２７の発明は、請求項１又は２又は請求項２５の発明において、端子台の屋内電線接続部位を取付枠の裏面側に設けたので、傾斜造営面からの屋内電線を接続する際に取付枠の表側に屋内電線を導入して引き回す必要がない。
【図面の簡単な説明】
【図１】  （ａ）は本発明の一実施形態の断面図である。
（ｂ）は同上の下面図である。
【図２】    同上の回転部の分解斜視図である。
【図３】    同上の化粧カバー及び取付枠部分の分解斜視図である。
【図４】    同上の施工説明図である。
【図５】    同上の施工説明図である。
【図６】    同上の施工説明図である。
【図７】  （ａ）は同上の側面図である。
（ｂ）は同上の正面図である。
【図８】    同上の取付枠の下面図である。
【図９】    別の実施形態の取付枠の施工説明図である。
【図１０】    他の実施形態の支軸部位の一部省略せる分解斜視図である。
【図１１】    その他の実施形態の斜視図である。
【図１２】    更に別の実施形態の斜視図である。
【図１３】    更に他の実施形態の斜視図である。
【図１４】    更にその他の実施形態の斜視図である。
【図１５】    また別の実施形態の斜視図である。
【図１６】    また他の実施形態の支軸部位の分解斜視図である。
【図１７】    また更に別の実施形態の支軸部位の分解斜視図である。
【図１８】    また更に他の実施形態の取付け状態を示す断面図である。
【符号の説明】
１  引掛シーリング
２  シーリング取付台
３  取付枠
４  回転部カバー
２４  支軸
３０  軸受け部
３０ａ  フック部
５０  化粧カバー
【図１】
0003882217.tif 000002
【図２】
0003882217.tif 000003
【図３】
0003882217.tif 000004
【図４】
0003882217.tif 000005
【図５】
0003882217.tif 000006
【図６】
0003882217.tif 000007
【図７】
0003882217.tif 000008
【図８】
0003882217.tif 000009
【図９】
0003882217.tif 000010
【図１０】
0003882217.tif 000011
【図１１】
0003882217.tif 000012
【図１２】
0003882217.tif 000013
【図１３】
0003882217.tif 000014
【図１４】
0003882217.tif 000015
【図１５】
0003882217.tif 000016
【図１６】
0003882217.tif 000017
【図１７】
0003882217.tif 000018
【図１８】
0003882217.tif 000019